(57)【特許請求の範囲】
【請求項１】
黒色を含む異なる色相毎に適応される複数の被走査体をレーザビームで走査する光走査装置であって、
前記異なる色相に対応するレーザビームをそれぞれ照射する複数の光源と、
前記複数の光源からのレーザビームを所定の方向に等速度で走査する光走査部材であって、前記複数の光源から入射されたレーザビームを等角速度偏向する回転多面鏡と、前記回転多面鏡が偏向したレーザビームを等速度偏向するレンズと、を少なくとも含む光走査部材と、
前記光走査部材からそれぞれ異なる距離だけ離れた位置に配置され、前記光走査部材が走査したレーザビームを前記レーザビームに対応する色相に適応される被走査体へ向けて反射する複数の第１ミラーであって、前記レンズで偏向されたレーザビームが最初に入射される複数の第１ミラーと、
光源から前記光走査部材までの入射距離と前記光走査部材から第１ミラーまでの出射距離との合計距離が最も長くなる光源からのレーザビームを検知する検知手段であって、前記黒色に適応される被走査体における前記レーザビームが走査する所定の範囲内の端付近に配設され、前記黒色に対応するレーザビームを検知する検知手段と、を備え、
前記複数の光源は、前記光走査部材からそれぞれ異なる距離だけ離れた位置に配置され、
前記入射距離が長くなるものほど前記出射距離が短くなるように、前記光源からのレーザビームを導く第１ミラーが配置されている光走査装置。
【請求項２】
黒色を含む異なる色相毎に適応される複数の被走査体をレーザビームで走査する光走査装置であって、
前記異なる色相に対応するレーザビームをそれぞれ照射する複数の光源と、
前記複数の光源からのレーザビームを所定の方向に等速度で走査する光走査部材であって、前記複数の光源から入射されたレーザビームを等角速度偏向する回転多面鏡と、前記回転多面鏡が偏向したレーザビームを等速度偏向するレンズと、を少なくとも含む光走査部材と、
前記光走査部材からそれぞれ異なる距離だけ離れた位置に配置され、前記光走査部材が走査したレーザビームを前記レーザビームに対応する色相に適応される被走査体へ向けて反射する複数の第１ミラーであって、前記レンズで偏向されたレーザビームが最初に入射される複数の第１ミラーと、
前記複数の光源と前記光走査部材との間に配置される第２ミラーであって、前記複数の光源から入射されたレーザビームを前記光走査部材へ向けて反射する第２ミラーと、
光源から前記第２ミラーまでの入射距離と前記光走査部材から第１ミラーまでの出射距離との合計距離が最も長くなる光源からのレーザビームを検知する検知手段であって、前記黒色に適応される被走査体における前記レーザビームが走査する所定の範囲内の端付近に配設され、前記黒色に対応するレーザビームを検知する検知手段と、を備え、
前記複数の光源は、前記光走査部材からそれぞれ異なる距離だけ離れた位置に配置され、
前記入射距離が長くなるものほど前記出射距離が短くなるように、前記光源からのレーザビームを導く第１ミラーが配置されている光走査装置。
【請求項３】
請求項１又は請求項２に記載の光走査装置と、
前記被走査体である像担持体であって、前記光走査装置により表面に静電潜像が形成される像担持体と、
前記像担持体の表面に形成された静電潜像をトナー像に現像する現像手段と、
前記像担持体上のトナー像を用紙へ転写する転写手段と、を備えた画像形成装置。
【発明の詳細な説明】
【技術分野】
【０００１】
この発明は、光源からのレーザビームで被走査体上を走査する光走査装置、及びこの光走査装置によって被走査体である像担持体に静電潜像を形成する画像形成装置に関する。
【背景技術】
【０００２】
例えば、光走査装置は、ブラック（Ｋ）、シアン（Ｃ）、マゼンタ（Ｍ）、イエロー（Ｙ）の４色の像担持体を有する画像形成装置に適応される。この種の光走査装置は、各色用の光源から照射されたレーザビームを反射する回転多面鏡と、回転多面鏡で反射されたレーザビームを分離する各色用のミラーを備え、分離後のレーザビームで各色用の像担持体のそれぞれを走査して、静電潜像を形成する（例えば、特許文献１参照。）。
【０００３】
特許文献１に記載の光走査装置は、各色用の光源のそれぞれから所定の距離離れた位置にミラーブロックが配置される。ミラーブロックは、ブロック本体の所定の面に形成された３つの反射面とブロック本体の上方に形成された通過領域を有し、シアン、マゼンタ、イエロー用のレーザビームをそれぞれ対応する反射面で反射して回転多面鏡へ配光し、ブラック用のレーザビームをそのまま通過領域に通過して回転多面鏡へ配光する。回転多面鏡へ配光されたレーザビームは、回転多面鏡で反射して、第１〜第３の結像レンズを通過し、各色用のミラーで分離される。各色用のミラーは、画像形成装置の大きさに制約がある中で、異なる位置に配置されている各色用の像担持体に分離後のレーザビームを導くため、回転多面鏡から異なる距離離れた位置に配置される。
【先行技術文献】
【特許文献】
【０００４】
【特許文献１】特開２００８−２６９０９号公報
【発明の概要】
【発明が解決しようとする課題】
【０００５】
光走査装置では、光学部品であるミラーブロックの取り付け位置に誤差が生じることがある。ミラーブロックの取り付け位置に誤差が生じると、各色用の光源から照射されたレーザビームは、ミラーブロックへの入射角及びミラーブロックからの反射角にズレが生じるため、光源から回転多面鏡までの光路にもズレが生じる。光源から回転多面鏡までの光路にズレが生じると、回転多面鏡への入射角及び回転多面鏡からの反射角にズレが生じるため、回転多面鏡から各色用のミラーまでの光路にもズレが生じる。回転多面鏡から各色用のミラーまでの光路にズレが生じると、各色用のミラーへの入射位置にズレが生じるため、レーザビームにケラレが発生する。また、このケラレは、各色用のミラーへの入射位置のズレが大きいほど顕著に発生する。各色用のミラーへの入射位置のズレは、各色用の光源から回転多面鏡までの光路長、及び回転多面鏡から各色用のミラーまでの光路長が長くなるほど、大きくなる。
【０００６】
特許文献１に記載の光走査装置では、各色用の光源から回転多面鏡までの光路長がほぼ等しい。このため、各色用のレーザビームは、回転多面鏡から各色用のミラーまでの光路長が長くなるほど、各色用のミラーへの入射位置に大きなズレが生じ、ケラレが顕著に発生する。
【０００７】
そこで、この発明は、レーザビームのケラレが顕著に発生することを防ぐ光走査装置、及びこの光走査装置を備えた画像形成装置を提供する。
【課題を解決するための手段】
【０００８】
この発明の光走査装置は、複数の光源と、光走査部材と、複数の第１ミラーとを備える。複数の光源は、レーザビームをそれぞれ照射する。光走査部材は、複数の光源からのレーザビームを所定の方向に等速度で走査する。複数の第１ミラーは、光走査部材からそれぞれ異なる距離だけ離れた位置に配置され、光走査部材が走査したレーザビームを被走査体へ向けて反射する。複数の光源は、光走査部材からそれぞれ異なる距離だけ離れた位に配置される。光源から光走査部材までの入射距離が長くなるものほど、光走査部材から第１ミラーまでの出射距離が短くなるように、光源からのレーザビームを導く第１ミラーが配置されている。
【０００９】
この構成では、複数の光源から照射されたレーザビームは、光走査部材によって所定の方向に等速度で走査される。等速度で走査されたレーザビームは、それぞれ複数の第１ミラーで反射され、被走査体上を走査する。レーザビームは、光源から光走査部材までの入射距離が長くなるものほど、光走査部材から第１ミラーまでの出射距離が短くなるように設けられている。
【００１０】
この発明の光走査装置は、複数の光源と、光走査部材と、複数の第１ミラーと、第２ミラーとを備える。第２ミラーは、複数の光源と光走査部材との間に配置され、複数の光源から入射されたレーザビームを光走査部材へ向けて反射する。光源から前記第２ミラーまでの入射距離が長くなるものほど、出射距離が短くなるように、光源からのレーザビームを導く第１ミラーが配置されている。
【００１１】
この構成では、複数の光源と光走査部材との間に第２ミラーを設けている。第２ミラーは、複数の光源から入射されたレーザビームを光走査部材へ向けて反射する。レーザビームは、第２ミラーから光走査部材までの距離が等しいので、光源から第２ミラーまでの入射距離が長くなるものほど、光走査部材から第１ミラーまでの出射距離が短くなるように設けられている。
【００１２】
これにより、光走査装置は、光源から第２ミラーまでの入射距離を容易に目視させることができ、各光源からのレーザビームを像担持体へ向けて反射する第１ミラーの配置を容易にすることができる。
【００１３】
光走査部材は、複数の光源から入射されたレーザビームを等角速度偏向する回転多面鏡と、回転多面鏡が偏向したレーザビームを等速度偏向するレンズと、を少なくとも含む構成であることが好ましい。この場合、複数の第１ミラーは、レンズで偏向されたレーザビームが最初に入射される。
【００１４】
この構成では、光偏光装置は、ポリゴンミラー等の回転多面鏡とｆθレンズ等のレンズとからなる。複数の第１のミラーには、光偏光装置のレンズから照射されたレーザビームが入射される。レーザビームは、複数の光源からの照射角にズレが生じている場合に、複数の第１のミラーが最も顕著にズレの影響を受けるため、複数の第１のミラーでケラレが発生しやすい。
【００１５】
これにより、光走査装置は、ケラレが生じるか否かを容易に確認することができる。
【００１６】
異なる色相毎に適応される複数の被走査体を異なる色相に対応するレーザビームで走査する光走査装置であって、入射距離と出射距離との合計距離が最も長くなる光源からのレーザビームを検知する検知手段をさらに備え、検知手段は、黒色に適応される被走査体におけるレーザビームが走査する所定の範囲内の端付近に配設され、黒色に対応するレーザビームを検知する構成であることが好ましい。
【００１７】
この構成では、検知手段は、黒色に適応される被走査体におけるレーザビームが走査する所定の範囲内の端付近に配設され、入射距離と合計距離が最も長くなる光源から照射された黒色に対応するレーザビーム、すなわち最も顕著に光路にズレが生じるレーザビームの通過を検知する。
【００１８】
これにより、光走査装置は、フルカラーの画像形成装置に適応することができ、複数の光源からのレーザビームの光路のズレをより容易に判断することができる。
【００２２】
この発明の画像形成装置は、上述の光走査装置と、被走査体である像担持体と、現像手段と、転写手段と、を備えている。像担持体は、光走査装置により表面に静電潜像が形成される。現像手段は、像担持体の表面に形成された静電潜像をトナー像に現像する。転写手段は、像担持体上のトナー像を用紙へ転写する。
【００２３】
この構成では、上述の光走査装置がレーザビームで像担持体を走査し、像担持体の表面に静電潜像を形成する。像担持体の表面の静電潜像は、現像手段によりトナー像に現像される。像担持体の表面のトナー像は、転写手段により用紙へ転写される。
【００２４】
これにより、画像形成装置は、上述の光走査装置を用いて画像を用紙へ形成することができる。このため、画像形成装置は、像担持体を走査するレーザビームにケラレが顕著に発生することを防ぐため、画質の良い画像を形成することができる。
【発明の効果】
【００２５】
この発明の光走査装置、及びこの光走査装置を備えた画像形成装置は、レーザビームのケラレが顕著に発生することを防ぐ。
【図面の簡単な説明】
【００２６】
【図１】この発明の実施形態に係る光走査装置を備えた画像形成装置の概略図である。
【図２】同光走査装置の内部の平面図である。
【図３】同光走査装置の内部の正面図である。
【図４】同光走査装置の要部の外観図である。
【図５】同光走査装置の要部の平面図である。
【図６】図５におけるＡ−Ａ線部の断面図である。
【図７】ミラーの取り付け位置に誤差が生じた場合の前半部分の光路を示す図である。
【図８】ミラーの取り付け位置に誤差が生じた場合の後半部分の光路を示す図である。
【発明を実施するための形態】
【００２７】
以下に、本発明の実施形態に係る光走査装置を備えた画像形成装置を例に説明する。
【００２８】
図１に示すように、この発明の実施形態に係る光走査装置１を備えた画像形成装置１００は、画像データに応じて、所定のシート（記録用紙）に対して多色及び単色の画像を形成する。
【００２９】
装置本体１１０の上部には、原稿が載置される透明ガラスからなる原稿載置台９２と、原稿載置台９２上に載置された原稿の画像を読み取る画像読取部９０とが設けられ、原稿載置台９２の上側には自動原稿処理装置１２０が取り付けられている。自動原稿処理装置１２０は、原稿載置台９２の上に自動で原稿を搬送する。また自動原稿処理装置１２０は回動自在に構成され、原稿載置台９２の上を開放することにより原稿を手置きで置くことができる。
【００３０】
装置本体１１０は、それぞれがブラック（Ｋ）、シアン（Ｃ）、マゼンタ（Ｍ）、イエロー（Ｙ）の各色のトナー像を形成する画像形成部６０Ａ〜６０Ｄを備えている。画像形成部６０Ａは、光走査装置１、現像器２、感光体ドラム３、クリーナユニット４、帯電器５、中間転写ベルトユニット６、定着ユニット７、給紙カセット８１、排紙トレイ９１等を有して構成されている。画像形成部６０Ｂ〜６０Ｄは、それぞれ画像形成部６０Ａと同様に構成されている。なお、画像形成部６０Ａ〜６０Ｄのそれぞれにおいて、この発明の被走査体である感光体ドラムには、便宜上３Ａ〜３Ｄの符号を付している。
【００３１】
帯電器５は、感光体ドラム３の表面を所定の電位に均一に帯電させる。
【００３２】
光走査装置１は、帯電された感光体ドラム３を入力された画像データに応じて露光して、その表面に、画像データに応じた静電潜像を形成する。現像器２はそれぞれの感光体ドラム３上に形成された静電潜像をブラック（Ｋ）、シアン（Ｃ）、マゼンタ（Ｍ）、イエロー（Ｙ）の４色のトナーにより顕像化する。またクリーナユニット４は、現像・画像転写後における感光体ドラム３上の表面に残留したトナーを、除去・回収する。
【００３３】
感光体ドラム３の上方に配置されている中間転写ベルトユニット６は、中間転写ベルト６１、駆動ローラ６２、従動ローラ６３、中間転写ローラ６４を備えている。中間転写ローラ６４は、ブラック（Ｋ）、シアン（Ｃ）、マゼンタ（Ｍ）、イエロー（Ｙ）用の各色に対応して４本設けられている。
【００３４】
駆動ローラ６２、従動ローラ６３、及び中間転写ローラ６４は、中間転写ベルト６１を張架して回転駆動させる。また各中間転写ローラ６４は、感光体ドラム３Ａ〜３Ｄのトナー像を、中間転写ベルト６１上に転写するための転写バイアスを与える。
【００３５】
中間転写ベルト６１は、各感光体ドラム３Ａ〜３Ｄに接触するように設けられている。そして、感光体ドラム３Ａ〜３Ｄに形成された各色のトナー像を中間転写ベルト６１に順次的に重ねて転写することによって、中間転写ベルト６１上にカラーのトナー像（多色トナー像）を形成する。感光体ドラム３Ａ〜３Ｄから中間転写ベルト６１へのトナー像の転写は、中間転写ベルト６１の裏側に接触している中間転写ローラ６４によって行われる。
【００３６】
中間転写ベルト６１上のトナー像は、中間転写ベルト６１の回転によって、後述の用紙と中間転写ベルト６１との接触位置に配置される転写ローラ１０によって用紙上に転写される。また、中間転写ベルト６１上に残存したトナーは、中間転写ベルトクリーニングユニット６５によって除去・回収される。
【００３７】
給紙カセット８１は、画像形成に使用するシート（記録用紙）を蓄積しておくためのトレイであり、装置本体１１０の光走査装置１の下側に設けられている。また手差し給紙カセット８２にも画像形成に使用するシートを置くことができる。また、装置本体１１０の上方に設けられている排紙トレイ９１は、印刷済みのシートをフェイスダウンで集積するためのトレイである。
【００３８】
また装置本体１１０には、給紙カセット８１及び手差し給紙カセット８２のシートを転写ローラ１０や定着ユニット７を経由させて排紙トレイ９１に送るための、略垂直形状の用紙搬送路Ｓが設けられている。用紙搬送路Ｓにおける転写ローラ１０の下流側には、定着ユニット７が配置されている。定着ユニット７は、シートに転写された多色トナー像を溶融・混合・圧接し、シートに対して熱定着させる。
【００３９】
図２、３に示すように、光走査装置１は、レーザダイオード２１Ａ〜２１Ｄ、コリメートレンズ２２Ａ〜２２Ｄ、ミラー２３〜２７、シリンドリカルレンズ２８、ポリゴンミラー２９、第１ｆθレンズ３０、第２ｆθレンズ３１、第３ｆθレンズ３２Ａ〜３２Ｄ、ミラー３３Ａ〜３３Ｄ，３４〜３８等の光学部品を筐体２０の内部に収納している。また光走査装置１としては、この他発光素子をアレイ状に並べた例えばＥＬやＬＥＤ書込みヘッドを用いる手法も採用できる。なお、図２，３は、上述の光学部品の一部を省略している。
【００４０】
レーザダイオード２１Ａ〜２１Ｄは、この発明の光源に相当し、それぞれブラック（Ｋ）、シアン（Ｃ）、マゼンタ（Ｍ）、イエロー（Ｙ）の各色に対応し、各色の画像データで変調されたレーザビームを照射する。
【００４１】
コリメートレンズ２２Ａ〜２２Ｄは、レーザダイオード２１Ａ〜２１Ｄから出力されたレーザビームを平行光に変換する。
【００４２】
ミラー２３〜２６は、レーザダイオード２１Ａ〜２１Ｄから照射されたレーザビームをミラー２７に向けて偏向する。ミラー２７は、ミラー２３〜２６において偏向されたレーザビームをポリゴンミラー２９に向けて反射する。シリンドリカルレンズ２８は、レーザダイオード２１Ａ〜２１Ｄから出力されたレーザビームについて副走査方向だけ集光させる。ミラー２３〜２７は、レーザダイオード２１Ａ〜２１Ｄとポリゴンミラー２９との間に配置されている。
【００４３】
ポリゴンミラー２９は、この発明の光走査部材であり、レーザビームを等角速度偏向して、所定の走査面内において主走査方向に走査する。このため、ポリゴンミラー２９は、正多角形柱状のものであって、周面に沿って複数の反射面を備え、所定方向に等速回転する。
【００４４】
第１ｆθレンズ３０及び第２ｆθレンズ３１は、ポリゴンミラー２９で等角速度偏向されたレーザビームを等速度偏向する。第３ｆθレンズ３２Ａ〜３２Ｄは、各レーザビームの形状を整えて筐体２０の外部の各感光体ドラム３Ａ〜３Ｄに配光する。
【００４５】
ミラー３３Ａ〜３３Ｄは、第１及び第２ｆθレンズ３０，３１で偏向された各レーザビームを分離し、ミラー３４〜３８は、分離後のレーザビームを第３ｆθレンズ３２Ａ〜３２Ｄに導く。
【００４６】
図４〜図６に示すように、ミラー２３〜２７は、筐体２０の内部に保持される。このため、筐体２０の内側面２０Ａには、保持部４１〜４５が内側面２０Ａの法線方向に沿って立設した状態にして一体的に形成されている。保持部４１〜４４は、それぞれミラー２３〜２６を保持する。保持部４５は、ミラー２７を保持する。内側面２０Ａには、保持部４１〜４５の他にも、ポリゴンミラー２９、第１〜第３ｆθレンズ３０，３１，３２Ａ〜３２Ｄ、ミラー３３Ａ〜３３Ｄ，３４〜３８等を保持するための多数の保持部が一体的に形成されている。
【００４７】
保持部４１〜４４のそれぞれは、内側面２０Ａからの延出量が徐々に大きくなるように形成されており、内側面２０Ａの法線方向で互いに異なる位置にミラー２３〜２６を保持する。すなわち、図５に示すように、ミラー２３〜２６は、内側面２０Ａにおけるミラー２７に対向する方向に沿う複数の位置のそれぞれで、ミラー２７との間の距離が長いほど、内側面２０Ａから離間して階段状に配置される。ミラー２３〜２６のそれぞれで反射したレーザビームは、ミラー２７における内側面２０Ａの法線方向で互いに異なる位置に平行に入射する。ミラー２３〜２６のそれぞれで反射したレーザビームを、ミラー２７でポリゴンミラー２９に向けて反射させている。
【００４８】
保持部４１〜４４のそれぞれは、ミラー２３〜２６で反射したレーザビームがミラー２７に入射するようにミラー２３〜２５を保持する必要がある。一方、保持部４５は、ミラー２７で反射したレーザビームがポリゴンミラー２９の反射面に入射するようにミラー２７を保持する必要がある。このため、保持部４１〜４４は、保持部４５に対して所定の角度で対向するようにして、保持部４５と間に所定の間隔を設けて配置されている。
【００４９】
以上のように、レーザダイオード２１Ａ〜２１Ｄからポリゴンミラー２９までの光路を含む入射光学系において、各色相に対応するレーザビームの光路長がそれぞれ異なる。具体的には、ブラックに対応するレーザビームの光路長が最も短く、シアンに対応するレーザビームの光路長が２番目に短く、マゼンタに対応するレーザビームの光路長が３番目に短く、イエローに対応するレーザビームの光路長が最も長くなる。
【００５０】
また、ポリゴンミラー２９で反射されたレーザビームは、ミラー３３Ａ〜３３Ｄによって分離され、中間転写ベルト６１の周囲に並列に配置された感光体ドラム３Ａ〜３Ｄに導かれる。ミラー３３Ａ〜３３Ｄは、画像形成装置１００の上下方向への大型化を防ぐため、それぞれ、感光体ドラム３Ａ〜３Ｄの下方で、ポリゴンミラー２９からそれぞれ異なる距離離れた位置に配置されている。
【００５１】
以上のように、ポリゴンミラー２９からミラー３３Ａ〜３３Ｄまでの光路を含む出射光学系において、各色相に対応するレーザビームの光路長がそれぞれ異なる。具体的には、ブラックに対応するレーザビームの光路長が最も長く、シアンに対応するレーザビームの光路長が２番目に長く、マゼンタに対応するレーザビームの光路長が３番目に長く、イエローに対応するレーザビームの光路長が最も短くなる。
【００５２】
すなわち、図３に示すように、各色に対応するレーザビームの入射光学系及び出射光学系の光路長の関係は、次のようになる。
【００５３】
レーザダイオード２１Ａ〜２１Ｄからポリゴンミラー２９までの入射光学系の光路長をそれぞれ、ブラック：Ｘ（Ａ）、シアン：Ｘ（Ｂ）、マゼンダ：Ｘ（Ｃ）、イエロー：Ｘ（Ｄ）で表し、ポリゴンミラー２９からミラー３３Ａ〜３３Ｄまでの出射光学系の光路長をそれぞれ、ブラック：Ｙ（Ａ）、シアン：Ｙ（Ｂ）、マゼンダ：Ｙ（Ｃ）、イエロー：Ｙ（Ｄ）で表す。各色の光路長の関係は、Ｘ（Ａ）＜Ｘ（Ｂ）＜Ｘ（Ｃ）＜Ｘ（Ｄ）で、且つ、Ｙ（Ａ）＞Ｙ（Ｂ）＞Ｙ（Ｃ）＞Ｙ（Ｄ）を満たす。
【００５４】
また、各色に対応するレーザビームは、ミラー２７からポリゴンミラー２９までの光路長が等しくなる。レーザダイオード２１Ａ〜２１Ｄからミラー２７までの光路長をそれぞれ、ブラック：ＸＸ（Ａ）、シアン：ＸＸ（Ｂ）、マゼンダ：ＸＸ（Ｃ）、イエロー：ＸＸ（Ｄ）で表す。各色の光路長の関係は、ＸＸ（Ａ）＜ＸＸ（Ｂ）＜ＸＸ（Ｃ）＜ＸＸ（Ｄ）で、且つ、Ｙ（Ａ）＞Ｙ（Ｂ）＞Ｙ（Ｃ）＞Ｙ（Ｄ）を満たす。
【００５５】
さらに、各色に対応するレーザビームは、ポリゴンミラー２９から第２ｆθレンズ３１までの光路長が等しくなる。第２ｆθレンズ３１からミラー３３Ａ〜３３Ｄまでの光路長をそれぞれ、ブラック：ＹＹ（Ａ）、シアン：ＹＹ（Ｂ）、マゼンダ：ＹＹ（Ｃ）、イエロー：ＹＹ（Ｄ）で表す。各色の光路長の関係は、Ｘ（Ａ）＜Ｘ（Ｂ）＜Ｘ（Ｃ）＜Ｘ（Ｄ）で、且つ、ＹＹ（Ａ）＞ＹＹ（Ｂ）＞ＹＹ（Ｃ）＞ＹＹ（Ｄ）を満たす。さらに、各色の光路長の関係は、ＸＸ（Ａ）＜ＸＸ（Ｂ）＜ＸＸ（Ｃ）＜ＸＸ（Ｄ）で、且つ、ＹＹ（Ａ）＞ＹＹ（Ｂ）＞ＹＹ（Ｃ）＞ＹＹ（Ｄ）を満たす。
【００５６】
一般的に、光走査装置１は、光学部品の取り付け位置に誤差が生じた場合に、光路長が長くなるほど、影響を受けやすく、レーザビームの光路、光学部品へのレーザビームの入射角、及び光学部品からのレーザビームの反射角のズレが大きくなる。光走査装置１は、入射光学系における光路長が長くなるほど、出射光学系における光路長が短くなるように、各色相に対応するレーザビーム毎の光路を設けている。これにより、光走査装置１は、光学部品の取り付け位置に誤差が生じた場合であっても、レーザビームの光路に顕著なズレが生じることを防ぐ。
【００５７】
次に、図７、８に示すように、入射光学系において、ミラー２７の取り付け位置に誤差が生じた場合について説明する。図７、８では、ミラー２７の取り付け位置に誤差が生じていない場合の光路を２点鎖線で示し、ミラー２７の取り付け位置に誤差が生じている場合の光路を実線で示している。
【００５８】
図７に示すように、入射光学系において、レーザダイオード２１Ａ〜２１Ｄから照射された各レーザビームは、光軸がポリゴンミラー２９の中心を通過するには、シリンドリカルレンズ２８に平行光として入射されなければならない。
【００５９】
ミラー２７の取り付け位置に誤差が生じた状態では、ミラー２７の反射面が傾くため、ミラー２７への入射角を変えて、レーザダイオード２１Ａ〜２１Ｄからレーザビームを照射する必要がある。レーザダイオード２１Ａ〜２１Ｄは、それぞれ、ミラー２７までの光路長が長くなるほど、ミラー２７への入射角にズレが大きく生じるため、照射角を大きく変えてレーザビームを照射しなければならない。
【００６０】
また、レーザダイオード２１Ａ〜２１Ｄから照射角を変えて照射された各レーザビームは、光軸がポリゴンミラー２９の中心を通過するように、ポリゴンミラー２９へ導かれる。各レーザビームは、ポリゴンミラー２９への入射角及びポリゴンミラー２９からの反射角にズレが生じる。このズレも、レーザダイオード２１Ａ〜２１Ｄからの照射角が大きく変わるほど、大きくなる。すなわち、各レーザビームは、レーザダイオード２１Ａ〜２１Ｄからミラー２７までの光路長が長くなるほど、ポリゴンミラー２９への入射角及びポリゴンミラー２９からの反射角にズレが大きく生じる。より正確には、各レーザビームは、ミラー２７からポリゴンミラー２９までの光路長が等しく、レーザダイオード２１Ａ〜２１Ｄからミラー２７までの光路長が異なるため、レーザダイオード２１Ａ〜２１Ｄからミラー２７までの光路長が長いほど、ポリゴンミラー２９への入射角及びポリゴンミラー２９からの反射角にズレが大きく生じる。
【００６１】
また、図８に示すように、出射光学系において、ポリゴンミラー２９から反射された各レーザビームは、ポリゴンミラー２９からの反射角にズレが大きく生じるほど、各ミラー３３Ａ〜３３Ｄへの入射位置にズレが大きく生じる。
【００６２】
さらに、各レーザビームは、ポリゴンミラー２９からの反射角にズレが生じていると、ポリゴンミラー２９から各ミラー３３Ａ〜３３Ｄまでの光路長が長いほど、各ミラー３３Ａ〜３３Ｄへの入射位置にズレが大きく生じる。より正確には、各レーザビームは、ポリゴンミラー２９から第２ｆθレンズ３１までの光路長が等しく、第２ｆθレンズ３１からミラー３３Ａ〜３３Ｄまでの光路長が異なるため、第２ｆθレンズ３１から各ミラー３３Ａ〜３３Ｄまでの光路長が長いほど、各ミラー３３Ａ〜３３Ｄへの入射位置にズレが大きく生じる。
【００６３】
各ミラー３３Ａ〜３３Ｄへの入射位置にズレが生じると、各レーザビームは、各ミラー３３Ａ〜３３Ｄで全反射されないため、ケラレが発生する。
【００６４】
また、ミラー３４〜３８は、ミラー３３Ａ〜３３Ｄで反射されたレーザビームが入射される。このため、ケラレは、ミラー３４〜３８でも発生するが、ミラー３３Ａ〜３３Ｄで顕著に発生する。
【００６５】
以上のように、各レーザビームは、入射光学系の光路長が長いものほど、出射光学系の光路長が短くなるように光路が設けられているため、入射光学系において各ミラー３３Ａ〜３３Ｄへの入射位置にズレが大きく生じるものほど、出射光学系において各ミラー３３Ａ〜３３Ｄへの入射位置にズレが大きく生じないようになっている。これにより、光走査装置１は、各ミラー３３Ａ〜３３Ｄへのレーザビームの入射位置にズレが際立って大きく生じることを防ぐことができ、レーザビームのケラレが顕著に発生することを防ぐことができる。
【００６６】
また、光走査装置１は、各色に対応するレーザビームの入射光学系の光路長と出射光学系の光路長の合計距離の中で、ブラックに対応するレーザビームの入射光学系の光路長と出射光学系の光路長の合計距離が最も長く設定されている。光走査装置１は、ブラックに対応するレーザビームを検知するＢＤセンサ４０を備える。ＢＤセンサ４０は、レーザビームが走査する感光体ドラム３Ａ上の所定の範囲内の両端付近に配置され、レーザビームが通過したことを検知する。
【００６７】
これにより、光走査装置１は、ＢＤセンサ４０の検知結果に基づいて、各色相のレーザビームの光路にズレが生じているか否かを判断することができる。ブラックに対応するレーザビームの光路にズレが生じていると、他の色相に対応するレーザビームの光路にもズレが生じている可能性が高いからである。また、ブラックに対応するレーザビームは、入射光学系の光路長と出射光学系の光路長の合計距離が最も長いため、他の色相に対応するレーザビームより、光路のズレが顕著に生じるからである。このため、光走査装置１は、光路のズレをより容易に判断することができる。さらに、ブラックに対応するレーザビームは、他の色相に対応するレーザビームより、使用頻度が高い。このため、光走査装置１は、光路のズレの有無を頻繁に検知することができる。
【００６８】
光走査装置１は、ＢＤセンサ４０の検知結果に基づいて、レーザビームの光路のズレを示すエラーメッセージの表示や、レーザビームの走査速度の変更等を行うことができる。例えば、光走査装置１は、ＢＤセンサ４０がレーザビームを検知しなくなると、画像形成装置１００の表示部（不図示）に光走査装置１のエラーを表示する。このため、画像形成装置１００は、画像不良の原因が、画像形成部６０Ａ〜６０の不具合に起因するものか光走査装置１の不具合に起因するものかを容易に判断することができる。
【００６９】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００７０】
１…光走査装置
３Ａ〜３Ｄ…感光体ドラム
２１Ａ〜２１Ｄ…レーザダイオード
２７…ミラー
２９…ポリゴンミラー
３０，３１…レンズ
３３Ａ〜３３Ｄ…ミラー
【図１】
0005274596.tif 000002
【図２】
0005274596.tif 000003
【図３】
0005274596.tif 000004
【図４】
0005274596.tif 000005
【図５】
0005274596.tif 000006
【図６】
0005274596.tif 000007
【図７】
0005274596.tif 000008
【図８】
0005274596.tif 000009